(57)【要約】      （修正有）【課題】ルアー製造工程でルアー本体とは別の集魚音発生部材の収容部材を作る手間を省き、かつ、容易に集魚音発生部材を交換でき、数を変更したりすることも可能なルアーを提供する。【解決手段】ルアーは、ルアー本体１と、前記ルアー本体腹部に設けられた一つ以上の収容穴６と、釣針係止部２，４が前記収容穴から前記ルアー本体表面に突出するようにルアー本体内に固定された一つ以上の釣針取付部材１０と、前記収容穴に収容されて、前記釣針取付部材に一つ以上取り付けられている集魚音発生部材５とから構成されている。集魚音発生部材５は、中心に透孔５ａを持つワッシャーを使用する。収容穴６は、集魚音発生部材５を１〜数個収容し、集魚音発生部材同士、あるいは、釣針取付部材と接触して干渉音を発生出来る程度に遊動できる大きさにするのが望ましい。【選択図】図１
0003174420.tif 000002
【実用新案登録請求の範囲】
【請求項１】
ルアー本体と、
前記ルアー本体腹部に設けられた一つ以上の収容穴と、
釣針係止部が前記収容穴から前記ルアー本体表面に突出するようにルアー本体内に固定された一つ以上の釣針取付部材と、
前記収容穴に収容されて、前記釣針取付部材に一つ以上取り付けられている集魚音発生部材と、
からなる魚釣りに用いられるルアー。
【請求項２】
前記集魚音発生部材は、中心部に透孔を有しており、その透孔に前記釣針取付部材が通されて脱着可能に取り付けられていることを特徴とする請求項１記載の魚釣りに用いられるルアー。
【請求項３】
ルアー本体には、前記収容穴を覆うようにカバープレートが取り付けられることを特徴とする請求項１又は２記載の魚釣りに用いられるルアー。
【請求項４】
前記カバープレートには前記凹部内に水が自由に出入りでき、かつ前記集魚音発生部材が抜け落ちないようになされた一つ以上の穴もしくは目又は切欠きが設けられていることを特徴とする請求項３記載の魚釣りに用いられるルアー。
【請求項５】
前記カバープレートは、ルアー本体にねじ止め又は嵌合されて取り付けられていることを特徴とする請求項３又は４に記載の魚釣りに用いられるルアー。
【考案の詳細な説明】
【技術分野】
【０００１】    この考案は、魚釣りに用いるルアー、特に、ルアー本体内で音を発生させて魚をおびき寄せる集魚音発生部材を備えるルアーに関する。
【背景技術】
【０００２】    バスやマス、シーバスなど魚を餌とする肉食魚は、その習性を利用し小魚を模したルアーを用いて釣り上げるルアーフィッシングの人気が高く、実に多種多様なルアーが製造・販売されている。その中で、リトリーブ時に音を発生させて魚の好奇心をかきたててヒットさせやすくするルアーが知られている。【０００３】    こうした集魚音発生部材を備えるルアーには、中空構造のものと中実構造のものとが見られる。中空構造の場合、ルアー本体のボディーを左右２分割にした一対の半割体を形成し、この半割体には、集魚音発生部材（たとえば錘やラトルボール等）が収納される空間が形成される。そして一対の半割体を接着してルアーが完成する。【０００４】    しかし、空中をキャストされて空中を高速で飛び、着水と同時に水面上あるいは水中をリトリーブされるルアーは、極めて過酷な環境に晒され、強度の問題から中空構造のルアーは破壊されてしまうおそれが否定できず、壊れた部分から水が入り込み、集魚音発生部材が腐食し、音の発生自体が難しくなる場合もある。【０００５】    また、中実構造の場合、集魚音発生部材（錘やラトルボール）が収容される空間がルアー本体に囲われていて、錘やラトルボール同士の衝突音がルアー本体の形成材料に吸収されて水中に響きにくい場合がある。こうした問題点を解決するため、特許文献１では、ルアー本体と別体である金属製ラトルルームを設け、そのラトルルームの一部をルアー本体から外部へ露出させ、ラトル音を水中に効率的に響かせるようにしている。【０００６】    特許文献２においても、ルアー本体と別体でラトル収容部材を設けてラトル収容空間を形成し、その空間を塞ぐカバー壁にスピーカーのようなコーン部を設けてルアー本体の外面の一部分を形成させ、ラトル音を水中に響かせるようにしている。
【先行技術文献】
【特許文献】
【０００７】
【特許文献１】特開２０００−３５４４３５
【特許文献２】特開２００９−１１２７９
【考案の概要】
【考案が解決しようとする課題】
【０００８】    しかしながら、特許文献１の発明も特許文献２の発明もともに、集魚音発生部材である錘やラトルボールを収容するため、ルアー本体とは別に収容部材を作らなければならず、ルアー製造工程が複雑になるきらいがあった。そこで、本考案の課題は、ルアー製造工程でルアー本体とは別の集魚音発生部材の収容部材を作る手間を省き、かつ、容易に集魚音発生部材を交換でき、数を変更したりすることも可能なルアーを提供することである。
【課題を解決するための手段】
【０００９】    本考案のルアーは、ルアー本体と、前記ルアー本体腹部に設けられた一つ以上の収容穴と、釣針係止部が前記収容穴から前記ルアー本体表面に突出するようにルアー本体内に固定された一つ以上の釣針取付部材と、前記収容穴に収容されて、前記釣針取付部材に一つ以上取り付けられている集魚音発生部材とから構成されている。【００１０】    さらに、前記集魚音発生部材は、中心部に透孔を有しており、その透孔に前記釣針取付部材が通されて脱着可能に取り付けられていることを特徴とする。【００１１】    この考案によれば、ルアー本体腹部に直接集魚音発生部材を収容するため、別に収容部材を作る必要もなく、集魚音発生部材同士や、釣針取付部材との干渉音が効率よく水中に響くことができる。また、集魚音発生部材は、釣針取付部材に脱着可能に取り付けられているため、自由に交換でき、数を変更したりすることも可能である。【００１２】    また、ルアー本体には、前記収容穴を覆うようにカバープレートを取り付けることもできる。【００１３】    そして、前記カバープレートには前記凹部内に水が自由に出入りでき、かつ前記集魚音発生部材が抜け落ちないようになされた一つ以上の穴もしくは目又は切欠きが設けてもよい。【００１４】    このようにすることで、前記集魚音発生部材は、前記釣針取付部材とだけでなく、前記カバープレートにも触れて別の干渉音を発生させることができ、魚の聴覚に合わせて、複数の異なる音を発生させることができる。また、ガイドプレートを取り付けたとしても、収容穴に自由に水が出入りできるため、人の手が止まったときにも、収容穴に入り込んだ水の圧力によって、前記集魚音発生部材は微妙に動き、干渉音を継続して発することができる。【００１５】    さらに、前記カバープレートは、ルアー本体にねじ止め又は嵌合されて取り付けてもよい。【００１６】    こうすることによって前記カバープレートを、ルアー本体から容易に取り外すことができるので、集魚音発生部材の交換も容易であり、過酷な環境にさらされるルアー本体自身のメンテナンス（塗装の状態やルアー本体のひび割れなどのチェック）もより簡単に行うことができる。
【図面の簡単な説明】
【００１７】
【図１】本考案の一実施形態を示す全体図である。
【図２】図１を下から見た図である。
【図３】本考案の一実施形態を示す全体図である。
【図４】カバープレートの一例を示す（ａ）平面図（ｂ）断面図である。
【図５】本考案の一実施形態を示す全体図である。
【図６】カバープレートの一例を示す（ａ）平面図（ｂ）断面図である。
【図７】本考案の一実施形態を示す全体図である。
【図８】図７を下から見た図である。
【図９】カバープレートの一例を示す平面図である。
【図１０】カバープレートの一例を示す平面図である。
【図１１】カバープレートの一例を示す平面図である。
【図１２】カバープレートの一例を示す平面図である。
【図１３】カバープレートの一例を示す平面図である。
【考案を実施するための形態】
【００１８】    図１と図２は本考案の第１形態を示す。外観を魚に似せて装飾されている中実状のルアー本体１には、図示しない釣糸を取り付けるための釣糸係止部２がルアー本体１の頭部から突出するようにねじ止めされ、釣針３を取り付ける釣針係止部４が尾部から突出するようにねじ止めされている。
【００１９】    ルアー本体１の腹部には、ルアー前後のバランスを見極めつつ所望の箇所に、集魚音発生部材５を収容するための収容穴６が形成されている。集魚音発生部材５は、中心に透孔５ａを持つワッシャーで、本実施形態ではステンレス製のローゼットワッシャーを使用しているが、これに限定されない。収容穴６は、この集魚音発生部材５が１〜数個収容でき、集魚音発生部材同士、あるいは、後述する釣針取付部材と接触して干渉音を発生出来る程度に遊動できる大きさにするのが望ましい。
【００２０】    図２に示すように、ルアー本体１表面に収容穴６を覆うように、カバープレート７を取り付ける。カバープレート７は、収容穴６の径より大径の円形をしており、ルアー本体１にねじ止めするための取付部７ａが円形のガイドプレート７の中心から外に向かって放射状に３箇所形成されている。取付部７ａにはネジ穴が設けられルアー本体１にねじ８でねじ止めされる。さらにガイドプレート７には、収容穴６より小径の透孔９が形成されるが、集魚音発生部材５が収容穴６から抜け落ちないように十字型のガイド７ｂを備えている。十字型ガイド７ｂの中心は、釣針取付部材１０が挿通可能に切除されている。
【００２１】    図１に示す釣針取付部材１０はＬ字状に湾曲させたヒートンで、湾曲部１０ａに釣針１１の環状係止部１１ａを挿通させ、さらに、収容穴６に収容されている集魚音発生部材５であるローゼットワッシャーの透孔５ａにヒートンのねじ部１０ｂを通し、収容穴６の底部６ａ中心でルアー本体１にねじ止めして固定する。そして、ヒートンのアイ部１０ｃはねじ１２によりルアー本体１表面にねじ止めされている。
【００２２】    ルアーがキャストされて水面に着水した時やリトリーブされる際には、金属製のヒートンである釣針取付部材１０やガイドプレート７のガイド７ｂに、金属製のローゼットワッシャー５が接触して干渉音を発生させ、魚の興味をひくことになる。ワッシャー５が複数収容される場合は、ワッシャー同士も干渉音を発生させる。ガイドプレート７には透孔９が設けられているため、収容穴６に水が自由に出入りでき、人の手が止まっても、水圧によってワッシャー５が遊動し、干渉音を発生させることができる。
【００２３】    集魚音発生部材５は錘の役割も果たすため、腹部に形成される収容穴６は、水中でのルアー本体１のバランスを見極めながら、所望の箇所に形成する。水中でのルアーのバランスに応じて、収容穴６に収容する集魚音発生部材５をいくつ収容するか決めることができる。
【００２４】    また、別の実施形態は、図３に示すように、ルアー本体２０は、リトリーブされると水の抵抗を受けて音や水しぶきを発生させるポッパーと呼ばれる頭部が凹み状になっているものでもよい。図３に示すルアー本体２０では、頭部から尾部にかけて長手方向に金属製ワイヤ２１が貫通しており、頭部より釣糸係止部２２が、尾部より釣針係止部２３が突出している。
【００２５】    ルアー本体２０の腹部には、収容穴２４が形成されており、金属製ワイヤ２１に連結して固定された釣針取付部材２５の先端にある釣針係止部２５ａが収容穴２４内から腹部より突出している。図３では、釣針取付部材２５の軸部２５ｂに集魚音発生部材２６が２個挿通されている。
【００２６】  収容孔２４に収容される集魚音発生部材２６は切り口を有するスプリングワッシャーでもよく、例えば釣針係止部２５ａがワッシャーの穴２６ａを通りぬけ出来ない場合でも釣針係止部３４に続くワイヤ連結部３４ａに塑性変更させて取り付けることが可能である。
【００２７】  あるいは、環状の釣針係止部２５ａに開口部があり、ワッシャーの透孔や、ガイドプレート２７の透孔を挿通させたのち、開口部を塑性変形させて閉じるようにしてもよい。
【００２８】    ガイドブレート２７の形状は、第１実施形態に示す形状のものでもよく、あるいは図４に示すように、アイレットのように嵌合部２７ａを収容穴２４に嵌合させるものであってもよい。
【００２９】    さらに、別の実施形態は、図５に示すように、長さのある中実状のルアー本体３０の腹部に、ルアー本体３０のバランスを見極めながら複数の収容穴３１を形成することもできる。ルアー本体に樹脂材を用いる場合は、一本の金属ワイヤ３２を用いて、頭部に釣糸係止部３３を形成したのち、腹部で釣針を取り付けるため釣針取付部材３２ａとして金属ワイヤ３２を大きく湾曲させて環状の釣針係止部３４を腹部から突出させて固定・形成し、尾部にも釣針係止部３５を突出させて形成することもできる。
【００３０】    収容穴３１は雌ねじを切り、図６に示すように、ガイドプレート３７の雄ねじ部３７ａを螺合（ねじ止め）させることもできる。
【００３１】    また、図７に示すように、バイブレーションタイプと言われるルアー本体４０に樹脂材を用いる場合は、腹部の釣針取付部材４１を樹脂材の中に埋め込んで固定させ、その固定部４１ａの下に収容穴４２を形成し、釣針係止部４１ｂから抜け落ちない大きさの透孔を有する集魚音発生部材４３を釣針取付部材４１に取り付ける。このタイプのルアーは、図８に示すように厚み（Ｔ）が比較的薄いため、大きな収容穴４２を形成することはできないため、場合によっては、収容穴４２の大きさに応じて小さな集魚音発生部材４３が必要な場合には、金属ワイヤを環状にして釣針係止部４１ｂに取り付けるような簡易なものでもよい。そうした小さな収容穴４２の場合には、集魚音発生部材４３は釣針係止部４１ｂから抜け止め対策がされているため、カバープレートを付ける必要もない。
【００３２】    以上、いくつかのタイプのルアーを図示したが、ルアー本体はこれらのタイプに限定されることはなく、木材製であっても、樹脂製であっても構わない。釣針取付部材も作り手の好みに合わせて任意に選ぶことができる。集魚音発生部材についても、釣針取付部材と干渉して音が発生するものであればよく、収容穴の大きさや釣針取付部材の形状に合わせて、種々のワッシャー・金属製のビーズなど環状のもので、釣針係止部で抜け止めされるものであればよい。
【００３３】    ガイドプレートも、ルアー本体の大きさに応じて装着するか否かを決めればよく、装着させる場合には、図９から図１３に示すように、種々のデザイン５０〜５４が考えられる。図９や図１０のようにカバープレートの形状が三角形５０や楕円形５１のものであってもよく、図１１のように、ルアー本体に取り付ける取付部５２ａが４箇所あってもよく、図１０のように２ヶ所でも構わない。図１２のように透孔の代わりに切欠き５３ａであってもよく、図１２のように網の目５４ａであってもよい。作り手の好みに合わせて任意に形状を選ぶことができる。
【符号の説明】
【００３４】  １、２０、３０、４０            ルアー本体
５、２６、３６、４３            集魚音発生部材
６、２４、３１、４２            収容穴
７、２７、３７                  カバープレート
１０、２５、３２ａ、４１        釣針取付部材
【図１】
0003174420.tif 000003
【図２】
0003174420.tif 000004
【図３】
0003174420.tif 000005
【図４】
0003174420.tif 000006
【図５】
0003174420.tif 000007
【図６】
0003174420.tif 000008
【図７】
0003174420.tif 000009
【図８】
0003174420.tif 000010
【図９】
0003174420.tif 000011
【図１０】
0003174420.tif 000012
【図１１】
0003174420.tif 000013
【図１２】
0003174420.tif 000014
【図１３】
0003174420.tif 000015